(57)【要約】【課題】少ない数の照明装置で１つの方向に広がっている照明対象を照明することが可能な商品展示装置を提供する。【解決手段】商品展示装置５０は、展示される商品５１の前方に設定された一対の照明対象面Ｆの間であって、照明対象面Ｓから前方Ｆへ離れた位置に一対の照明対象面Ｓの間の長手方向Ｚに沿って配置された第１の照明装置１Ａを備え、第１の照明装置１Ａは、光透過性の材料から形成されたパイプ部材１０と、パイプ部材１０に収容され、パイプ部材１０の長手方向に沿って延びる回路基板２０と、回路基板２０の照明対象面Ｆに向く一方の面に長手方向に沿って実装された複数のＬＥＤ素子２１と、複数のＬＥＤ素子２１から出射された光にＬＥＤ素子２１の光軸方向の光強度よりも両側面方向の光強度が大きくなるような配光特性を付与するレンズ２２とを備える。【選択図】図２
2018006211.tif 000002
【特許請求の範囲】
【請求項１】
展示される商品の前方に設定された一対の照明対象面の間であって、前記照明対象面から前方へ離れた位置に前記一対の照明対象面の間の長手方向に沿って配置された照明装置を備え、
前記照明装置は、光透過性の材料から形成されたパイプ部材と、前記パイプ部材に収容され、前記パイプ部材の長手方向に沿って延びる回路基板と、前記回路基板の前記照明対象面に向く一方の面に前記長手方向に沿って実装された複数の発光素子と、前記複数の発光素子から出射された光に前記発光素子の光軸方向の光強度よりも両側面方向の光強度が大きくなるような配光特性を付与するレンズと、
を備えた商品展示装置。
【請求項２】
展示される商品の前方に設定された一対の照明対象面の間であって、前記照明対象面から前方へ離れた位置に前記一対の照明対象面の間の長手方向に沿って配置された第１の照明装置と、
前記一対の照明対象面に隣接する照明対象面の側方であって、前記長手方向に沿って配置された第２の照明装置とを備え、
前記第１の照明装置は、光透過性の材料から形成されたパイプ部材と、前記パイプ部材に収容され、前記パイプ部材の長手方向に沿って延びる回路基板と、前記回路基板の前記照明対象面に向く一方の面に前記長手方向に沿って実装された複数の発光素子と、前記複数の発光素子から出射された光に前記発光素子の光軸方向の光強度よりも両側面方向の光強度が大きくなるような配光特性を付与するレンズとを備え、
前記第２の照明装置は、光透過性の材料から形成されたパイプ部材と、前記パイプ部材に収容され、前記パイプ部材の長手方向に沿って延びる回路基板と、前記回路基板の前記照明対象面に向く一方の面に前記長手方向に沿って実装された複数の発光素子と、前記複数の発光素子から出射された光に前記発光素子の光軸方向の光強度よりも前記照明対象側の側面方向の光強度が大きくなるような配光特性を付与するレンズとを備えた商品展示装置。
【請求項３】
前記照明装置は、前記照明対象面から前方へ１０〜５０ｍｍ離れた位置に配置された請求項１又は２に記載の商品展示装置。
【発明の詳細な説明】
【技術分野】
【０００１】
本発明は、光透過性を有するパイプ部材に発光素子が実装された回路基板を収容した照明装置を用いた商品展示装置に関する。
【背景技術】
【０００２】
近年、ショーケースを照明する照明装置として、蛍光灯に換えて高輝度のＬＥＤ（発光ダイオード）を照明装置に使用することが多くなっている（例えば、特許文献１参照）。
【０００３】
特許文献１に開示されたショーケースは、ケース本体の両側の側面ガラスの外側に縦方向に照明装置をそれぞれ配置したものである。照明装置は、長尺型ＬＥＤカバー部材と、長尺型ＬＥＤカバー部材の内部に収容されたＬＥＤ基板と、ＬＥＤ基板に１列に設けられた複数のＬＥＤとを備える。長尺型ＬＥＤカバーは、ＬＥＤの光軸方向がケース本体の内側に向くようにＬＥＤ基板を側面ガラスに斜めに取り付けている。
【先行技術文献】
【特許文献】
【０００４】
【特許文献１】特開２０１５−２０８４４１号公報
【発明の概要】
【発明が解決しようとする課題】
【０００５】
上記の特許文献１の照明装置は、ＬＥＤの光強度分布が主として光軸方向に存在しているためにＬＥＤの照射範囲が狭いことから、ショーケースが幅方向に広い場合には、照明装置の数を増やす必要がある。
【０００６】
したがって、本発明の目的は、少ない数の照明装置で１つの方向に広がっている照明対象を照明することが可能な商品展示装置を提供することにある。
【課題を解決するための手段】
【０００７】
本発明の一態様は、上記目的を達成するため、展示される商品の前方に設定された一対の照明対象面の間であって、前記照明対象面から前方へ離れた位置に前記一対の照明対象面の間の長手方向に沿って配置された照明装置を備え、
前記照明装置は、光透過性の材料から形成されたパイプ部材と、前記パイプ部材に収容され、前記パイプ部材の長手方向に沿って延びる回路基板と、前記回路基板の前記照明対象面に向く一方の面に前記長手方向に沿って実装された複数の発光素子と、前記複数の発光素子から出射された光に前記発光素子の光軸方向の光強度よりも両側面方向の光強度が大きくなるような配光特性を付与するレンズと、を備えた商品展示装置を提供する。
【０００８】
本発明の他の態様は、上記目的を達成するため、展示される商品の前方に設定された一対の照明対象面の間であって、前記照明対象面から前方へ離れた位置に前記一対の照明対象面の間の長手方向に沿って配置された第１の照明装置と、前記一対の照明対象面に隣接する照明対象面の側方であって、前記長手方向に沿って配置された第２の照明装置とを備え、
前記第１の照明装置は、光透過性の材料から形成されたパイプ部材と、前記パイプ部材に収容され、前記パイプ部材の長手方向に沿って延びる回路基板と、前記回路基板の前記照明対象面に向く一方の面に前記長手方向に沿って実装された複数の発光素子と、前記複数の発光素子から出射された光に前記発光素子の光軸方向の光強度よりも両側面方向の光強度が大きくなるような配光特性を付与するレンズとを備え、
前記第２の照明装置は、光透過性の材料から形成されたパイプ部材と、前記パイプ部材に収容され、前記パイプ部材の長手方向に沿って延びる回路基板と、前記回路基板の前記照明対象面に向く一方の面に前記長手方向に沿って実装された複数の発光素子と、前記複数の発光素子から出射された光に前記発光素子の光軸方向の光強度よりも前記照明対象側の側面方向の光強度が大きくなるような配光特性を付与するレンズとを備えた商品展示装置を提供する。
【発明の効果】
【０００９】
本発明によれば、少ない数の照明装置で１つの方向に広がっている照明対象を照明することが可能になる。
【図面の簡単な説明】
【００１０】
【図１】図１は、本発明の実施の形態に係る商品展示装置の正面図である。
【図２】図２は、図１の商品展示装置の要部断面図である。
【図３】図３は、第１及び第２の照明装置を示す斜視図である。
【図４】図４は、第１の照明装置のソケットを除きパイプ部材の端部側からパイプ部材の内部を見た場合の側面図である。
【図５】図５は、第１の照明装置の要部分解斜視図である。
【図６】図６は、第２の照明装置のソケットを除きパイプ部材の端部側からパイプ部材の内部を見た場合の側面図である。
【図７】図７は、第１の照明装置と照明対象面との位置関係を説明するための平面図である。
【図８】図８は、筐体の右端に位置する第２の照明装置と照明対象面との位置関係を説明するための平面図である。
【図９】図９は、本発明の実施例に係る第１の照明装置の配光特性を示すグラフ図である。
【図１０】図１０は、本発明の実施例に係る第２の照明装置の配光特性を示すグラフ図である。
【発明を実施するための形態】
【００１１】
以下、本発明の実施の形態について図面を参照して説明する。なお、各図中、実質的に同一の機能を有する構成要素については、同一の符号を付してその重複した説明を省略する。
【００１２】
（商品展示装置の全体構成）
図１は、本発明の実施の形態に係る商品展示装置の正面図である。図２は、図１の商品展示装置の要部断面図である。図１において、Ｚは縦方向、Ｗは幅方向を示す。図２において、Ｒは後方、Ｆは前方を示す。縦方向Ｚは、照明対象面Ｓの間の長手方向の一例である。
【００１３】
この商品展示装置５０は、図１及び図２に示すように、商品５１を収容する内部空間５２を有する筐体５３と、筐体５３の正面に設けられた複数（例えば、４つ）の長方形の扉５４とを備える。内部空間５２は、例えば、温度及び湿度が管理された空間である。
【００１４】
扉５４は、幅方向Ｗの一方の側に取手５５を備え、幅方向Ｗの他方の側が上下の一対のヒンジ５６によって開閉可能に筐体５３に支持されている。扉５４は、例えば、透明ガラス、アクリル樹脂等から形成されている。隣り合う一対の扉５４が、取手５５が近い位置に設けられて観音開き方式になっている。なお、扉５４は、スライド方式でもよい。
【００１５】
筐体５３は、図２に示すように、縦方向Ｚに伸びる枠部材５３ａ、５３ｂと、筐体５３の側壁を構成する側壁部材５３ｃとを備える。枠部材５３ａ、５３ｂの扉５４側の面には、内部空間５２の密閉性を高めるためのゴム５７が配置されている。
【００１６】
筐体５３の内部空間５２には、商品５１が配置される商品展示棚５８が設けられている。商品展示棚５８は、縦方向Ｚにおいて前方Ｆが後方Ｒよりも少し下がるように配置され、商品展示棚５８の前方Ｆの端部には、商品５１が前方Ｆから落下しないように規制板５８ａが設けられている。
【００１７】
また、商品展示装置５０は、展示される商品５１の前方Ｆに設定された一対の照明対象面Ｓの間であって、照明対象面Ｓから前方Ｆへ距離Ｙ離れた位置（ＬＥＤ素子２１の位置）に縦方向Ｚに沿って配置された複数（例えば、２つ）の第１の照明装置１Ａと、一対の照明対象面Ｓに隣接する照明対象面Ｓの側方であって、照明対象面Ｓから前方Ｆへ距離Ｙ離れた位置（ＬＥＤ素子２１の位置）に縦方向Ｚに沿って配置された複数（例えば、２つ）の第２の照明装置１Ｂとを備える。照明対象面Ｓは、最前列の商品５１が接する仮想の面であり、図２において平面でも曲面でもよい。照明対象面Ｓが平面で構成されている場合、距離Ｙは、例えば１０〜５０ｍｍが好ましい。照明対象面Ｓが曲面で構成されている場合、距離Ｙは、最も奥まった位置から、例えば１０〜５０ｍｍが好ましい。
【００１８】
なお、第１及び第２の照明装置１Ａ、１Ｂを総称するときは、単に「照明装置１」という。また、照明装置１は縦方向Ｚに対して前後に±３０°の範囲内で傾いて配置されていてもよい。
【００１９】
（照明装置の全体構成）
図３は、第１及び第２の照明装置１Ａ、１Ｂを示す斜視図である。図４は、第１の照明装置１Ａのソケットを除きパイプ部材の端部側からパイプ部材の内部を見た場合の側面図である。図５は、第１の照明装置１Ａの要部分解斜視図である。図６は、第２の照明装置１Ｂのソケットを除きパイプ部材の端部側からパイプ部材の内部を見た場合の側面図である。
【００２０】
第１及び第２の照明装置１Ａ、１Ｂの基本構成は、円筒パイプからなる光透過性のパイプ部材１０と、パイプ部材１０の両端を閉蓋するキャップ状の第１及び第２のソケット１１と、パイプ部材１０に収容されて発光する照明部２とを備える。第１の照明装置１Ａと第２のＬＥＤ照明措置１Ｂとでは後述するレンズ２２の形状が異なり、他は同一に構成されている。
【００２１】
照明部２は、ＬＥＤ素子２１を実装するための図示しない配線パターンが形成された回路基板２０と、回路基板２０の表面２０ａにパイプ部材１０又は回路基板２０の長手方向に沿って実装された複数のＬＥＤ素子２１と、ＬＥＤ素子２１から出射された光の配光特性を変更するレンズ２２と、回路基板２０をパイプ部材１０に支持する支持部材２３と、回路基板２０の裏面２０ｂに搭載された後述する電源部２４とを有する。ＬＥＤ素子２１は、発光素子の一例である。
【００２２】
（パイプ部材の構成）
パイプ部材１０は、例えばアクリル樹脂、ポリカーボネート樹脂等の光透過性を有する材料からなる。なお、当該材料に拡散剤が含まれていてもよい。パイプ部材１０は、既存の直管蛍光灯とほぼ同一の大きさ、寸法、及び外観形態を有している。パイプ部材１０は、内周面１０ａから径方向に突出する一対の凸部１０１を内周面１０ａの対向する位置にそれぞれ設けることにより、内周面１０ａの長手方向に沿って平行に延びる一対の係合受部としての凹部１００が形成されている。
【００２３】
図４に示すように、一対の凹部１００は、支持部材２３の外側突起２３２を係合支持する。図示例によれば、パイプ部材１０の凹部１００は、内周面の長手方向に沿って延びるレール状の凹凸部となっているが、これに限定されるものではなく、例えばパイプ部材１０の内周面１０ａから径方向に窪んでおり、内周面１０ａの長手方向に沿って延びる溝状の凹部を形成してもよい。
【００２４】
（ソケットの構成）
第１及び第２の照明装置１Ａ、１Ｂの第１及び第２のソケット１１は同一構造を有している。ソケット１１の端部の材質としては、例えばアルミニウム、アルミニウム合金等の金属の他、ポリブチレンテレフタレート樹脂、ポリカーボネート樹脂等の樹脂を用いることができる。このソケット１１のそれぞれは、図示しない蛍光灯ソケット部の端子に接続させるための金属製の２本一対の第１乃至第４のソケット端子１１０を備え、端部に金属を用いる場合には、第１乃至第４のソケット端子１１０をベークライトにより絶縁的に支持する。また、端部に樹脂を用いる場合には、第１乃至第４のソケット端子１１０を樹脂によりかしめて支持する。
【００２５】
これらのソケット端子１１０の外部への突出端は、蛍光灯ソケット部の端子に電気的に接続される。ソケット端子１１０の突出端と反対側の他端は、回路基板２０上に設けられたパッドと電気的に接続されている。なお、ソケット端子１１０を用いる他、電気的に接続できるものであれば、リード線やリード線の先端にコネクタを設けたものを用いてもよい。また、電源部２４に二次電池を用いる場合には、ソケット端子１１０と回路基板２０とは電気的に接続されていなくてもよい。
【００２６】
ソケット１１のパイプ部材１０と接続される接続部は、例えばポリブチレンテレフタレート樹脂、ポリカーボネート等の樹脂で形成される。ソケット１１には、内周面から径方向に突出する一対の係止凸部が対向して形成されている。ソケット１１の接続部は、パイプ部材１０の一端側の外周を覆う。ソケット１１は、パイプ部材１０の外周面に設けられた係止凹部とソケット１１の係合凸部とを係合して取り付けられる。
【００２７】
図では、ソケット１１としてソケット端子１１０を軸方向に突設した構成を例示したが、これに限定されるものではなく、例えばソケット端子１１０をソケット１１の側面に突設した構成であってもよい。ソケット端子１１０としては、例えばインサート成形したり、ピン挿通孔に圧入固定したり、あるいは螺合固定したりすることで突設すればよい。
【００２８】
（照明部の構成）
回路基板２０の表面２０ａには、一定のピッチで回路基板２０の長手方向に沿って配置された複数のＬＥＤ素子２１が実装され、回路基板２０の裏面２０ｂには、ＬＥＤ素子２１に電力を供給する電源部２４が搭載されている。なお、ＬＥＤ素子２１は、ピッチを任意にすることができる。
【００２９】
回路基板２０は、材質として、例えばガラス基材（例えば、ＦＲ−４等）又はエポキシ系・ポリエステル系コンポジット基材（例えば、ＣＥＭ−３等）の材料を用いることができる。
【００３０】
照明装置１としては、フリップチップタイプのＬＥＤ素子２１を使用するが、これに限定されるものではない。ＬＥＤ素子２１の他の一例としては、例えば青色ＬＥＤを蛍光体により波長変換して白色を発光可能に構成されていてもよい。
【００３１】
（第１の照明装置のレンズの構成）
第１の照明装置１Ａのレンズ２２は、ＬＥＤ素子２１から出射された光が入射する平坦な入射面２２４と、入射面２２４に入射した光を出射する一対の山形状の出射面２２５と、回路基板２０の表面２０ａに接触する接触凸部２２６と、支持部材２３のベース部２３０と内側突起２３３との間の係合受部に係合される係合突起２２３とを備える。
【００３２】
入射面２２４は、ＬＥＤ素子２１から入射した光の一部（光軸２１ａの方向を除く）を屈折させて出射面２２５まで導光する。入射面２２４は、一部に曲面を含んでいてもよい。
【００３３】
出射面２２５は、中央が最も低い一対の山型形状を有する。出射面２２５は、入射面２２４に入射した光を全反射（一部は屈折）させることで、光を回路基板２０の幅方向（側面方向）に拡散させて出射する。これにより、回路基板２０の幅方向に広がった配光特性を有する。すなわち、第１の照明装置１Ａのレンズ２２は、複数のＬＥＤ素子２１から出射された光にＬＥＤ素子２１の光軸２１ａの方向（以下、光軸方向という。）の光強度よりも両側面方向の光強度が大きくなるような配光特性を付与する。側面方向は、回路基板２０の表面２０ａに平行な方向（水平方向）、回路基板２０の表面２０ａ側の光軸方向と水平方向との間の斜め方向、回路基板２０の裏面２０ｂ側の光軸方向と水平方向との間の斜め方向を含む。
【００３４】
（電源部の構成）
電源部２４は、ソケット端子１１０から１００Ｖ又は２００Ｖ、５０Ｈｚ／６０Ｈｚの交流の商用電源が供給されるものである。電源部２４は、供給された交流を直流に変換する整流ダイオードと、整流ダイオードによって変換された直流の出力を平滑にして２００〜３００ｍＡ、３０〜４５Ｖの直流で電力を回路基板２０に供給するコンデンサとを備える。電源部２４は、幅が回路基板２０の幅よりも小さいのが好ましい。
【００３５】
なお、電源部２４は、電気的に直列に接続された複数の二次電池を電池収容箱内に収容した複数の電池パックでもよい。複数の電池パックは、回路基板２０の長手方向に沿って回路基板２０の裏面２０ｂに搭載されている。これらの電池パックから供給される電力により、外部電源から電力が供給されなくてもＬＥＤ素子２１が点灯する。
【００３６】
（支持部材の構成）
支持部材２３は、パイプ部材１０の内径よりも小さい幅を有し、パイプ部材１０の長手方向に延びたベース部２３０と、ベース部２３０の幅方向の両端部にベース部２３０に直交するように設けられた一対の側部２３１と、一対の側部２３１の外側の面から外側に突出した外側突起２３２と、一対の側部２３１の上端部から内側に突出した内側突起２３３とを備え、全体として板状の形状を有する。
【００３７】
支持部材２３は、例えば、アクリル樹脂、ポリカーボネート樹脂等の樹脂材料から形成されている。
【００３８】
回路基板２０には、図示しない複数の貫通孔が形成され、支持部材２３には、回路基板２０に形成された貫通孔に嵌合される図示しない複数の位置決め凸部が形成されている。これにより、支持部材２３に対する回路基板２０を位置決めすることができる。
【００３９】
（第２の照明装置のレンズの構成）
第２の照明装置１Ｂは、第１の照明装置１Ａとは、レンズ２２が異なる。第１の照明装置１Ａのレンズ２２は、一対の山形状の出射面２２５を有しているが、第２の照明装置１Ｂのレンズ２２は、一方の出射面２２５を入射面に平行の平坦な面２２５ａとしたものであり、他は第１の照明装置１Ａのレンズ２２と同様に構成されている。すなわち、筐体５３の右端に位置する第２の照明装置１Ｂのレンズ２２は、図６に示すように、複数のＬＥＤ素子２１から出射された光にＬＥＤ素子２１の光軸方向の光強度よりも左側の側面方向の光強度が大きくなるような配光特性を付与する。また、筐体５３の左端に位置する第２の照明装置１Ｂのレンズ２２は、図６に示す形状とは線対称の形状を有し、複数のＬＥＤ素子２１から出射された光にＬＥＤ素子２１の光軸方向の光強度よりも右側の側面方向の光強度が大きくなるような配光特性を付与する。
【００４０】
（照明装置の動作）
次に、照明装置１の動作について図７及び図８を参照して説明する。図７は、第１の照明装置１Ａと照明対象面Ｓとの位置関係を説明するための平面図である。同図は第１の照明装置１Ａの右側のみを示す。図８は、筐体の右端に位置する第２の照明装置１Ｂと照明対象面Ｓとの位置関係を説明するための平面図である。
【００４１】
第１の照明装置１Ａの電源部２４からＬＥＤ素子２１に電力が供給され、ＬＥＤ素子２１から光が出射されると、ＬＥＤ素子２１から出射された光は、レンズ２２の入射面２２４に入射した後、屈折して出射面２２５に到達し、この出射面２２５で全射した後、パイプ部材１０を透過して両側面方向に出射し、ＬＥＤ素子２１から一定の範囲（例えば６０ｃｍ）Ｅ１に配置されている商品５１を明るく照らすことができる。
【００４２】
一方、第２の照明装置１Ｂの電源部２４からＬＥＤ素子２１に電力が供給され、ＬＥＤ素子２１から光が出射されると、ＬＥＤ素子２１から出射された光は、レンズ２２の入射面２２４に入射した後、屈折して出射面２２５に到達し、この出射面２２５で全反射した後、パイプ部材１０を透過して一方の側面方向に出射し、商品５１を照明する。すなわち筐体５３の右端に位置する第２の照明装置１Ｂは、左側の照射対象面Ｓを照明し、筐体５３の左端に位置する第２の照明装置１Ｂは、右側の照射対象面Ｓを照明する。そしてＬＥＤ素子２１から一定の範囲（例えば８０ｃｍ）Ｅ２に配置されている商品５１を明るく照らすことができる。
【００４３】
（実施の形態の作用、効果）
第１の実施の形態によれば、以下の作用、効果を奏する。
（１）光軸上の光強度よりも側面方向の光強度が大きいため、左右の照明対象面Ｓを１つの第１の照明装置１Ａで照明することができる。したがって、少ない数の照明装置１で横方向に広がっている照射対象を明るく照明することができる。
（２）回路基板２０の表面２０ａをパイプ部材１０の略中心（ずれ量が例えばパイプ部材１０の外径の１０％以内）に配置しているので、回路基板２０の裏面２０ｂに電源部２４を搭載することが容易になる。これにより、回路基板２０の表面２０ａ側は長手方向の端部まで光を出射することができる。
【実施例】
【００４４】
図９は、本発明の実施例に係る照明装置１Ａの配光特性を示すグラフ図である。図９のＡで示す光強度分布は、実施例に対応するものである。図９のＢで示す光強度分布は、図４に示す構成において、レンズ２２を用いていない比較例に対応するものである。
【００４５】
図９において、回路基板２０の表面２０ａ側の光軸方向（０°の方向）の光強度を１００％としたとき、照明対象面Ｓ上の光強度は、比較例は３０％程度であったが、本実施例は１００〜１２０％になった。これにより、本実施例の第１の照明装置１Ａは、側面方向の光強度が光軸方向の光強度よりも大きくなっていることが分かる。
【００４６】
図１０は、本発明の実施例に係る照明装置１Ｂの配光特性を示すグラフ図である。図１０のＡで示す光強度分布は、実施例に対応するものである。図１０のＢで示す光強度分布は、図６に示す構成において、レンズ２２を用いていない比較例に対応するものである。
【００４７】
図１０において、照明対象面Ｓ上の光強度は、比較例は５０％程度であったが、本実施例１は７５〜１１０％であった。これにより、本実施例の第２の照明装置１Ｂは、一方の側面方向の光強度が光軸方向の光強度よりも大きくなっていることが分かる。
【００４８】
［変形例］
なお、本発明の実施の形態は、上記実施の形態に限定されるものではなく、本発明の要旨を変更しない範囲内で種々に変形、実施が可能である。例えば、上記実施の形態では、商品展示棚５８間に隙間を設けていたが、隙間を設けずに連続した商品展示棚でもよい。
【００４９】
また、上記実施の形態では、光軸２１ａ上に商品５１を配置しなかったが、光軸２１ａ上に商品５１を配置し、光軸２１ａ上の商品５１も照明対象としてもよい。
【００５０】
また、上記実施の形態では、両サイドに第２の照明装置１Ｂを配置したが、両サイドに第２の照明装置１Ｂの代わりに第１の照明装置１Ａを配置してもよい。これにより照明装置を共用化することができる。
【００５１】
上記実施の形態では、照明対象が横方向に広がっている場合について説明したが、照明対象が縦方向や斜めの方向に広がって場合についても本発明を適用することができる。これらの場合、照明対象が広がっている方向に直交する方向に沿って照明装置を配置すればよい。
【００５２】
また、上記第１及び第２の実施の形態では、回路基板２０の表面２０ａにレンズ２２を搭載したが、パイプ部材１０にレンズ機能を持たせてもよい。これによりレンズ２２を省くことが可能になる。
【００５３】
また、本発明の要旨を変更しない範囲内で、上記各実施の形態の構成要素の一部を省くことが可能である。例えば、上記実施の形態では、パイプ部材１０に電源部２４を収容したが、外部から回路基板２０に直流の電力を供給できる場合には、電源部２４を省いてもよい。
【符号の説明】
【００５４】
１Ａ…第１の照明装置、１Ｂ…第２の照明装置、２…照明部、
１０…パイプ部材、１０ａ…内周面、１０ｂ…外周面、１１…ソケット、
２０…回路基板、２０ａ…表面、２０ｂ…裏面、２１…ＬＥＤ素子、２２…レンズ、
２３…支持部材、２４…電源部、５０…商品展示装置、５１…商品、
５２…内部空間、５３…筐体、５３ａ…枠部材、５３ｃ…側壁部材、５４…扉、
５５…取手、５６…ヒンジ、５７…ゴム、５８…商品展示棚、５８ａ…規制板、
１００…凹部、１０１…凸部、１１０…ソケット端子、１１１…内部空間、
２２３…係合突起、２２４…入射面、２２５…出射面、２２５ａ…平坦な面、
２２６…接触凸部、２３０…ベース部、２３１…側部、２３２…外側突起、
２３３…内側突起、Ｆ…先方、Ｒ…後方、Ｓ…照明対象面、Ｗ…幅方向
【図１】
2018006211.tif 000003
【図２】
2018006211.tif 000004
【図３】
2018006211.tif 000005
【図４】
2018006211.tif 000006
【図５】
2018006211.tif 000007
【図６】
2018006211.tif 000008
【図７】
2018006211.tif 000009
【図８】
2018006211.tif 000010
【図９】
2018006211.tif 000011
【図１０】
2018006211.tif 000012